(57)【要約】【課題】リレーノードＲＮとしてのアタッチ処理において、無駄なリソースの使用を回避する。【解決手段】本発明に係る移動通信方法は、無線基地局ＤｅＮＢが、ＵＳＩＭ-ＲＮとの間でセキュアなチャネルが確立されているリレーノードＲＮから受信した「Ａｔｔａｃｈ  Ｒｅｑｕｅｓｔ（ＲＮ）」に応じて、移動管理ノードＭＭＥに対して、リレーノードＲＮとしてのアタッチ処理であることを示す「（Ｓ１）Ｉｎｉｔｉａｌ  ＵＥ  ｍｅｓｓａｇｅ」を送信する工程と、移動管理ノードＭＭＥが、「（Ｓ１）Ｉｎｉｔｉａｌ  ＵＥ  ｍｅｓｓａｇｅ」に応じて、リレーノードＲＮ及びＵＳＩＭ-ＲＮとの間で「ＥＰＳ-ＡＫＡ」を開始する工程と、ＵＳＩＭ-ＲＮが、リレーノードＲＮとしてのアタッチ処理に用いられ得ないと判定された場合、「ＥＰＳ-ＡＫＡ」が失敗する工程とを有する。【選択図】図３
2012217110.tif 000002
【特許請求の範囲】
【請求項１】
リレーノード用加入者識別モジュールとの間でセキュアなチャネルが確立されているリレーノードが、無線基地局に対して、リレーノードとしてのアタッチ処理を要求するアタッチ要求信号を送信する工程と、
前記無線基地局が、前記アタッチ要求信号に応じて、移動管理ノードに対して、リレーノードとしてのアタッチ処理であることを示す初期信号を送信する工程と、
前記移動管理ノードが、前記初期信号に応じて、前記リレーノード及び汎用加入者識別モジュールとの間で、認証及び鍵同意手順を開始する工程と、
前記移動管理ノードが、加入者管理サーバから取得した加入者データに基づいて、前記リレーノード用加入者識別モジュールが、前記リレーノードとしてのアタッチ処理に用いられ得るか否かについて判定する工程と、
前記リレーノード用加入者識別モジュールが、前記リレーノードとしてのアタッチ処理に用いられ得ると判定された場合、前記移動管理ノードと前記リレーノードとの間で、ＮＡＳセキュリティを設定する工程と、
前記リレーノード用加入者識別モジュールが、前記リレーノードとしてのアタッチ処理に用いられ得ないと判定された場合、前記認証及び鍵同意手順が失敗する工程とを有することを特徴とする移動通信方法。
【請求項２】
リレーノード用加入者識別モジュールとの間でセキュアなチャネルが確立されているリレーノードのアタッチ処理において、無線基地局から、リレーノードとしてのアタッチ処理であることを示す初期信号を受信するように構成されている受信部と、
前記初期信号に応じて、前記リレーノード及び前記汎用加入者識別モジュールとの間で、認証及び鍵同意手順を開始するように構成されている通信部と、
加入者管理サーバから取得した加入者データに基づいて、前記リレーノード用加入者識別モジュールが、前記リレーノードとしてのアタッチ処理に用いられ得るか否かについて判定するように構成されている判定部とを具備し、
前記判定部によって、前記リレーノード用加入者識別モジュールが、前記リレーノードとしてのアタッチ処理に用いられ得ると判定された場合、前記通信部は、前記リレーノードとの間で、ＮＡＳセキュリティを設定するように構成されており、
前記判定部によって、前記リレーノード用加入者識別モジュールが、前記リレーノードとしてのアタッチ処理に用いられ得ないと判定された場合、前記通信部は、前記認証及び鍵同意手順を成功させることなく終了させるように構成されていることを特徴とする移動管理ノード。
【発明の詳細な説明】
【技術分野】
【０００１】
本発明は、移動通信方法及び移動管理ノードに関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、無線基地局ＤｅＮＢ（Ｄｏｎｏｒ  ｅＮＢ）に対して、Ｕｎインターフェイスを介して接続可能なリレーノードＲＮ（Ｒｅｌａｙ  Ｎｏｄｅ）を用いることができる。
【０００３】
かかるリレーノードＲＮのアタッチ処理は、移動局ＵＥと同様のアタッチ処理（Ｐｈａｓｅ-１）を行った後、リレーノードＲＮとしてのアタッチ処理（Ｐｈａｓｅ-２）を行うように規定されている（非特許文献１及び２）。
【０００４】
ここで、図４を参照して、かかるリレーノードＲＮとしてのアタッチ処理について簡単に説明する。
【０００５】
図４に示すように、ステップＳ２００１において、「ＵＳＩＭ-ＲＮ（Ｕｎｉｖｅｒｓａｌ  Ｓｕｂｓｃｒｉｂｅｒ  Ｉｄｅｎｔｉｔｙ  Ｍｏｄｕｌｅ-ＲＮ、リレーノード用加入者識別モジュール）」が、未だアクティブではない場合、リレーノードＲＮは、かかるＵＳＩＭ-ＲＮをアクティブにし、かかるＵＳＩＭ-ＲＮとの間のセキュアなチャネルを復旧させる（或いは、再設定する）。
【０００６】
なお、ＵＳＩＭ-ＲＮに対しては、セキュアなチャネルを介してのみアクセス可能である。
【０００７】
かかる場合、リレーノードＲＮは、ＵＳＩＭ-ＲＮ内の「ＥＰＳ  ｓｅｃｕｒｉｔｙ  ｃｏｎｔｅｘｔ」を無効にする。
【０００８】
ステップＳ２００２において、リレーノードＲＮは、無線基地局ＤｅＮＢに対して、リレーノードＲＮとしてのアタッチ処理を要求する「Ａｔｔａｃｈ  Ｒｅｑｕｅｓｔ（ＲＮ）（アタッチ要求信号）」を送信する。
【０００９】
ここで、リレーノードＲＮは、ＵＳＩＭ-ＲＮに係るＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）又はＧＵＴＩ（Ｇｌｏｂａｌ  Ｕｎｉｑｕｅ  Ｔｅｍｐｏｒａｒｙ  Ｉｄｅｎｔｉｆｉｅｒ）を含む「Ａｔｔａｃｈ  Ｒｅｑｕｅｓｔ」を送信する。
【００１０】
ステップＳ２００３において、無線基地局ＤｅＮＢは、移動管理ノードＭＭＥ（Ｍｏｂｉｌｉｔｙ  Ｍａｎａｇｅｍｅｎｔ  Ｅｎｔｉｔｙ）に対して、「（Ｓ１）Ｉｎｉｔｉａｌ  ＵＥ  ｍｅｓｓａｇｅ（初期信号）」を送信する。
【００１１】
移動管理ノードＭＭＥは、かかる「（Ｓ１）Ｉｎｉｔｉａｌ  ＵＥ  ｍｅｓｓａｇｅ」に応じて、ステップＳ２００４において、リレーノードＲＮ及びＵＳＩＭ-ＲＮとの間で、「ＥＰＳ-ＡＫＡ（Ｅｖｏｌｖｅｄ  Ｐａｃｋｅｔ  Ｓｙｓｔｅｍ-Ａｕｔｈｅｎｔｉｃａｔｉｏｎ  ａｎｄ  Ｋｅｙ  Ａｇｒｅｅｍｅｎｔ、認証及び鍵同意手順）」を行うと共に、ステップＳ２００５において、リレーノードＲＮとの間で、ＮＡＳ（Ｎｏｎ  Ａｃｃｅｓｓ  Ｓｔｒａｔｕｍ）セキュリティを設定する。
【００１２】
ここで、リレーノードＲＮは、セキュアなチャネルを介してＵＳＩＭ-ＲＮから受信した鍵のみを使用する。
【００１３】
ステップＳ２００６において、移動管理ノードＭＭＥは、加入者管理サーバＨＳＳ（Ｈｏｍｅ  Ｓｕｂｓｃｒｉｂｅｒ  Ｓｅｒｖｅｒ）から取得した加入者データ（ｓｕｂｓｃｒｉｐｔｉｏｎ  ｄａｔａ）に基づいて、ＵＳＩＭ-ＲＮが、リレーノードＲＮとしてのアタッチ処理に用いられ得るか否かについて判定する。
【００１４】
ステップＳ２００７において、移動管理ノードＭＭＥは、無線基地局ＤｅＮＢに対して、かかる判定結果を含む「（Ｓ１）Ｉｎｉｔｉａｌ  Ｃｏｎｔｅｘｔ  Ｓｅｔｕｐ  Ｒｅｑｕｅｓｔ」を送信する。
【００１５】
かかる判定結果が、ＵＳＩＭ-ＲＮが、リレーノードＲＮとしてのアタッチ処理に用いられ得ることを示す場合、無線基地局ＤｅＮＢは、ステップＳ２００９において、ＡＳ（Ａｃｃｅｓｓ  Ｓｔｒａｔｕｍ）セキュリティを設定し、ステップＳ２０１０において、Ｓ１/Ｘ２  ＤＲＢ（Ｄａｔａ  Ｒａｄｉｏ  Ｂｅａｒｅｒ）に対するリレーノードＲＮ用のＡＳセキュリティを設定する。
【００１６】
一方、かかる判定結果が、ＵＳＩＭ-ＲＮが、リレーノードＲＮとしてのアタッチ処理に用いられ得ないことを示す場合、無線基地局ＤｅＮＢは、リレーノードＲＮのアタッチ処理を拒絶する。
【先行技術文献】
【非特許文献】
【００１７】
【非特許文献１】３ＧＰＰ  ＴＳ３３.４０１
【非特許文献２】３ＧＰＰ  ＴＳ３６.３００
【発明の概要】
【発明が解決しようとする課題】
【００１８】
しかしながら、既存のＬＴＥ-Ａｄｖａｎｃｅｄ方式では、上述のように、リレーノードＲＮとしてのアタッチ処理において、ＵＳＩＭ-ＲＮを用いることができない場合（すなわち、リレーノードＲＮとしてのアタッチ処理が拒絶されてしまう場合）であっても、移動管理ノードＭＭＥとリレーノードＲＮとの間で、必ずＮＡＳセキュリティが設定されてしまうため、無駄な「（Ｓ１）Ｉｎｉｔｉａｌ  Ｃｏｎｔｅｘｔ  Ｓｅｔｕｐ  Ｒｅｑｕｅｓｔ」が送信されてしまうという不具合があった。
【００１９】
そこで、本発明は、上述の課題に鑑みてなされたものであり、リレーノードＲＮとしてのアタッチ処理において、無駄なリソースの使用を回避することができる移動通信方法及び移動管理ノードを提供することを目的とする。
【課題を解決するための手段】
【００２０】
本発明の第１の特徴は、移動通信方法であって、リレーノード用加入者識別モジュールとの間でセキュアなチャネルが確立されているリレーノードが、無線基地局に対して、リレーノードとしてのアタッチ処理を要求するアタッチ要求信号を送信する工程と、前記無線基地局が、前記アタッチ要求信号に応じて、移動管理ノードに対して、リレーノードとしてのアタッチ処理であることを示す初期信号を送信する工程と、前記移動管理ノードが、前記初期信号に応じて、前記リレーノード及び汎用加入者識別モジュールとの間で、認証及び鍵同意手順を開始する工程と、前記移動管理ノードが、加入者管理サーバから取得した加入者データに基づいて、前記リレーノード用加入者識別モジュールが、前記リレーノードとしてのアタッチ処理に用いられ得るか否かについて判定する工程と、前記リレーノード用加入者識別モジュールが、前記リレーノードとしてのアタッチ処理に用いられ得ると判定された場合、前記移動管理ノードと前記リレーノードとの間で、ＮＡＳセキュリティを設定する工程と、前記リレーノード用加入者識別モジュールが、前記リレーノードとしてのアタッチ処理に用いられ得ないと判定された場合、前記認証及び鍵同意手順が失敗する工程とを有することを要旨とする。
【００２１】
本発明の第２の特徴は、移動管理ノードであって、リレーノード用加入者識別モジュールとの間でセキュアなチャネルが確立されているリレーノードのアタッチ処理において、無線基地局から、リレーノードとしてのアタッチ処理であることを示す初期信号を受信するように構成されている受信部と、前記初期信号に応じて、前記リレーノード及び前記汎用加入者識別モジュールとの間で、認証及び鍵同意手順を開始するように構成されている通信部と、加入者管理サーバから取得した加入者データに基づいて、前記リレーノード用加入者識別モジュールが、前記リレーノードとしてのアタッチ処理に用いられ得るか否かについて判定するように構成されている判定部とを具備し、前記判定部によって、前記リレーノード用加入者識別モジュールが、前記リレーノードとしてのアタッチ処理に用いられ得ると判定された場合、前記通信部は、前記リレーノードとの間で、ＮＡＳセキュリティを設定するように構成されており、前記判定部によって、前記リレーノード用加入者識別モジュールが、前記リレーノードとしてのアタッチ処理に用いられ得ないと判定された場合、前記通信部は、前記認証及び鍵同意手順を成功させることなく終了させるように構成されていることを要旨とする。
【発明の効果】
【００２２】
以上説明したように、本発明によれば、リレーノードＲＮとしてのアタッチ処理において、無駄なリソースの使用を回避することができる移動通信方法及び移動管理ノードを提供することができる。
【図面の簡単な説明】
【００２３】
【図１】本発明の第１の実施形態に係る移動通信システムの全体構成図である。
【図２】本発明の第１の実施形態に係る移動管理ノードの機能ブロック図である。
【図３】本発明の第１の実施形態に係る移動通信システムの動作を示すシーケンス図である。
【図４】既存の移動通信システムの動作を示すシーケンス図である。
【発明を実施するための形態】
【００２４】
（本発明の第１の実施形態に係る移動通信システム）
図１乃至図３を参照して、本発明の第１の実施形態に係る移動通信システムについて説明する。
【００２５】
本実施形態に係る移動通信システムは、ＬＴＥ-Ａｄｖａｎｃｅｄ方式の移動通信システムであって、図１に示すように、加入者管理サーバＨＳＳと、移動管理ノードＭＭＥと、無線基地局ＤｅＮＢと、リレーノードＲＮとを具備している。
【００２６】
また、ＵＳＩＭ-ＲＮは、リレーノードＲＮに接続することができるように構成されている。
【００２７】
リレーノードＲＮは、接続されているＵＳＩＭ-ＲＮをアクティブにし、ＵＳＩＭ-ＲＮとの間でセキュアなチャネルを確立することができるように構成されている。
【００２８】
図２に示すように、移動管理ノードＭＭＥは、受信部１１と、送信部１２と、通信部１３と、判定部１４とを具備している。
【００２９】
受信部１１は、無線基地局ＤｅＮＢや加入者管理サーバＨＳＳから、各種情報を受信するように構成されている。
【００３０】
例えば、受信部１１は、無線基地局ＤｅＮＢから、「（Ｓ１）Ｉｎｉｔｉａｌ  ＵＥ  ｍｅｓｓａｇｅ」を受信したり、加入者管理サーバＨＳＳから、リレーノードＲＮに係る加入者データを受信したりするように構成されている。
【００３１】
送信部１２は、無線基地局ＤｅＮＢに対して、各種情報を送信するように構成されている。
【００３２】
例えば、送信部１２は、無線基地局ＤｅＮＢに対して、「（Ｓ１）Ｉｎｉｔｉａｌ  Ｃｏｎｔｅｘｔ  Ｓｅｔｕｐ  Ｒｅｑｕｅｓｔ」を送信するように構成されている。
【００３３】
通信部１３は、リレーノードＲＮ及びＵＳＩＭ-ＲＮとの間で、「ＥＰＡ-ＡＫＡ」を行ったり、リレーノードＲＮとの間で、ＮＡＳセキュリティを設定したりするように構成されている。
【００３４】
判定部１４は、加入者管理サーバＨＳＳから取得した加入者データに基づいて、ＵＳＩＭ-ＲＮが、リレーノードＲＮとしてのアタッチ処理に用いられ得るか否かについて判定するように構成されている。
【００３５】
ここで、判定部１４によって、ＵＳＩＭ-ＲＮが、リレーノードＲＮとしてのアタッチ処理に用いられ得ると判定された場合、通信部１３は、リレーノードとの間で、ＮＡＳセキュリティを設定するように構成されている。
【００３６】
一方、判定部１４によって、ＵＳＩＭ-ＲＮが、リレーノードＲＮとしてのアタッチ処理に用いられ得ないと判定された場合、通信部１３は、「ＥＰＳ-ＡＫＡ」を成功させることなく終了させるように構成されている。
【００３７】
以下、図３を参照して、本発明の第１の実施形態に係る移動通信システムの動作の一例について説明する。
【００３８】
図３に示すように、ステップＳ１００１において、ＵＳＩＭ-ＲＮが、未だアクティブではない場合、リレーノードＲＮは、かかるＵＳＩＭ-ＲＮをアクティブにし、かかるＵＳＩＭ-ＲＮとの間のセキュアなチャネルを復旧させる（或いは、再設定する）。
【００３９】
かかる場合、リレーノードＲＮは、ＵＳＩＭ-ＲＮ内の「ＥＰＳ  ｓｅｃｕｒｉｔｙ  ｃｏｎｔｅｘｔ」を無効にする。
【００４０】
ステップＳ１００２において、リレーノードＲＮは、無線基地局ＤｅＮＢに対して、リレーノードＲＮとしてのアタッチ処理を要求する「Ａｔｔａｃｈ  Ｒｅｑｕｅｓｔ（ＲＮ）」を送信する。
【００４１】
ここで、リレーノードＲＮは、ＵＳＩＭ-ＲＮに係るＩＭＳＩ又はＧＵＴＩを含む「Ａｔｔａｃｈ  Ｒｅｑｕｅｓｔ」を送信する。
【００４２】
ステップＳ１００３において、無線基地局ＤｅＮＢは、移動管理ノードＭＭＥに対して、リレーノードＲＮとしてのアタッチ処理であることを示す「（Ｓ１）Ｉｎｉｔｉａｌ  ＵＥ  ｍｅｓｓａｇｅ」を送信する。
【００４３】
ステップＳ１００４において、移動管理ノードＭＭＥは、かかる「（Ｓ１）Ｉｎｉｔｉａｌ  ＵＥ  ｍｅｓｓａｇｅ」に応じて、リレーノードＲＮ及びＵＳＩＭ-ＲＮとの間で、「ＥＰＳ-ＡＫＡ」を開始する。
【００４４】
ステップＳ１００５において、移動管理ノードＭＭＥは、加入者管理サーバＨＳＳから取得した加入者データに基づいて、ＵＳＩＭ-ＲＮが、リレーノードＲＮとしてのアタッチ処理に用いられ得るか否かについて判定する。
【００４５】
ＵＳＩＭ-ＲＮが、リレーノードＲＮとしてのアタッチ処理に用いられ得ると判定された場合、移動管理ノードＭＭＥは、ステップＳ１００６において、無線基地局ＤｅＮＢに対して、「Ｒｅｌｅａｓｅ  ＵＥ  Ｃｏｎｔｅｘｔ」を送信し、ステップＳ１００７において、リレーノードＲＮとの間で、ＮＡＳセキュリティを設定する。
【００４６】
ここで、リレーノードＲＮは、セキュアなチャネルを介してＵＳＩＭ-ＲＮから受信した鍵のみを使用する。
【００４７】
ステップＳ１００８において、移動管理ノードＭＭＥは、無線基地局ＤｅＮＢに対して、「（Ｓ１）Ｉｎｉｔｉａｌ  Ｃｏｎｔｅｘｔ  Ｓｅｔｕｐ  Ｒｅｑｕｅｓｔ」を送信する。かかる「（Ｓ１）Ｉｎｉｔｉａｌ  Ｃｏｎｔｅｘｔ  Ｓｅｔｕｐ  Ｒｅｑｕｅｓｔ」は、ステップＳ１００５における判定結果を含まない。
【００４８】
無線基地局ＤｅＮＢは、ステップＳ１００９において、ＡＳ（Ａｃｃｅｓｓ  Ｓｔｒａｔｕｍ）セキュリティを設定し、ステップＳ１０１０において、Ｓ１/Ｘ２  ＤＲＢに対するリレーノードＲＮ用のＡＳセキュリティを設定する。
【００４９】
一方、ＵＳＩＭ-ＲＮが、リレーノードＲＮとしてのアタッチ処理に用いられ得ないと判定された場合、移動管理ノードＭＭＥは、「ＥＰＳ-ＡＫＡ」を失敗させる（すなわち、成功させることなく終了させる）。
【００５０】
本実施形態に係る移動通信システムによれば、リレーノードＲＮとしてのアタッチ処理において、ＵＳＩＭ-ＲＮを用いることができない場合には、移動管理ノードＭＭＥとリレーノードＲＮとの間で、ＮＡＳセキュリティを設定することなく、かかるリレーノードＲＮとしてのアタッチ処理を失敗させてしまうため、無駄なリソースの使用、例えば、無駄な「（Ｓ１）Ｉｎｉｔｉａｌ  Ｃｏｎｔｅｘｔ  Ｓｅｔｕｐ  Ｒｅｑｕｅｓｔ」の送信を回避することができる。
【００５１】
以上に述べた本実施形態の特徴は、以下のように表現されていてもよい。
【００５２】
本実施形態の第１の特徴は、移動通信方法であって、ＵＳＩＭ-ＲＮ（リレーノード用加入者識別モジュール）との間でセキュアなチャネルが確立されているリレーノードＲＮが、無線基地局ＤｅＮＢに対して、リレーノードＲＮとしてのアタッチを要求する「Ａｔｔａｃｈ  Ｒｅｑｕｅｓｔ（ＲＮ）（アタッチ要求信号）」を送信する工程と、無線基地局ＤｅＮＢが、「Ａｔｔａｃｈ  Ｒｅｑｕｅｓｔ（ＲＮ）」に応じて、移動管理ノードＭＭＥに対して、リレーノードＲＮとしてのアタッチ処理であることを示す「（Ｓ１）Ｉｎｉｔｉａｌ  ＵＥ  ｍｅｓｓａｇｅ（初期信号）」を送信する工程と、移動管理ノードＭＭＥが、「（Ｓ１）Ｉｎｉｔｉａｌ  ＵＥ  ｍｅｓｓａｇｅ」に応じて、リレーノードＲＮ及びＵＳＩＭ-ＲＮとの間で、「ＥＰＡ-ＡＫＡ（認証及び鍵同意手順）」を開始する工程と、移動管理ノードＭＭＥが、加入者管理サーバＨＳＳから取得した加入者データに基づいて、ＵＳＩＭ-ＲＮが、リレーノードＲＮとしてのアタッチ処理に用いられ得るか否かについて判定する工程と、ＵＳＩＭ-ＲＮが、リレーノードＲＮとしてのアタッチ処理に用いられ得ると判定された場合、移動管理ノードＭＭＥとリレーノードＲＮとの間で、ＮＡＳセキュリティを設定する工程と、ＵＳＩＭ-ＲＮが、リレーノードＲＮとしてのアタッチ処理に用いられ得ないと判定された場合、「ＥＰＳ-ＡＫＡ」が失敗する工程とを有することを要旨とする
本実施形態の第２の特徴は、移動管理ノードＭＭＥであって、ＵＳＩＭ-ＲＮとの間でセキュアなチャネルが確立されているリレーノードＲＮのアタッチ処理において、無線基地局ＤｅＮＢから、リレーノードＲＮとしてのアタッチ処理であることを示す「（Ｓ１）Ｉｎｉｔｉａｌ  ＵＥ  ｍｅｓｓａｇｅ」を受信するように構成されている受信部１１と、「（Ｓ１）Ｉｎｉｔｉａｌ  ＵＥ  ｍｅｓｓａｇｅ」に応じて、リレーノードＲＮ及びＵＳＩＭ-ＲＮとの間で、「ＥＰＳ-ＡＫＡ」を開始するように構成されている通信部１３と、加入者管理サーバＨＳＳから取得した加入者データに基づいて、ＵＳＩＭ-ＲＮが、リレーノードＲＮとしてのアタッチ処理に用いられ得るか否かについて判定するように構成されている判定部１４とを具備し、判定部１４によって、ＵＳＩＭ-ＲＮが、リレーノードＲＮとしてのアタッチ処理に用いられ得ると判定された場合、通信部１３は、リレーノードとの間で、ＮＡＳセキュリティを設定するように構成されており、判定部１４によって、ＵＳＩＭ-ＲＮが、リレーノードＲＮとしてのアタッチ処理に用いられ得ないと判定された場合、通信部１３は、「ＥＰＳ-ＡＫＡ」を成功させることなく終了させるように構成されていることを要旨とする。
【００５３】
なお、上述の移動管理ノードＭＭＥや無線基地局ＤｅＮＢやリレーノードＲＮやや加入者管理サーバＨＳＳの動作は、ハードウェアによって実施されてもよいし、プロセッサによって実行されるソフトウェアモジュールによって実施されてもよいし、両者の組み合わせによって実施されてもよい。
【００５４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ＤｅＮＢやリレーノードＲＮやや加入者管理サーバＨＳＳ内に設けられていてもよい。また、かかる記憶媒体及びプロセッサは、ディスクリートコンポーネントとして移動管理ノードＭＭＥや無線基地局ＤｅＮＢやリレーノードＲＮや加入者管理サーバＨＳＳ内に設けられていてもよい。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５７】
ＲＮ…リレーノード
ＨＳＳ…加入者管理サーバ
ＭＭＥ…移動管理ノード
１１…受信部
１２…送信部
１３…通信部
１４…判定部
【図１】
2012217110.tif 000003
【図２】
2012217110.tif 000004
【図３】
2012217110.tif 000005
【図４】
2012217110.tif 000006